【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄を複数列に可変表示し、前記入賞態様決定手段で決定された入賞態様に応じた図柄組み合わせを有効化入賞ライン上に停止表示する可変表示装置と、
この可変表示装置の可変表示を開始させるスタートレバーと、
前記可変表示装置の可変表示を各列毎に停止させる複数の停止ボタンと
を備え、
前記複数の入賞態様は、複数の小当たり入賞態様の他、その属した入賞態様の当選フラグが成立すると対応する図柄組み合わせが停止表示されるまで内部当たり状態となる特定の入賞態様を含み、
前記可変表示装置は、前記停止ボタンが操作されることに基づいて前記入賞態様に応じた図柄組み合わせを前記有効化入賞ライン上に停止表示するが、前記当選フラグが成立していても、前記停止ボタンが前記当選フラグに対応した図柄を前記有効化入賞ライン上に停止できるタイミングで操作されないと、前記有効化入賞ライン上に対応する図柄組み合わせを停止表示させない制御を行う遊技機において、
前記スタートレバーの操作が検出されたことに基づいて発生させる複数の効果音と、前記複数の停止ボタンの各々の操作が検出される毎に実行される表示態様の組み合わせが予め定められた複数の連動表示態様とを有するとともに、前記複数の効果音および前記複数の連動表示態様の各々を組み合わせてなる複数の報知態様を有し、
前記複数の小当たり入賞態様と前記特定の入賞態様とを含む前記複数の入賞態様毎に区画され、この入賞態様毎に前記複数の報知態様のうち少なくとも一が対応付けされた演出決定テーブルと、
この演出決定テーブルにより前記入賞態様決定手段で決定された入賞態様に応じた報知態様を選択し、この選択した報知態様で遊技者に報知する報知手段と
を備えたことを特徴とする遊技機。
【請求項２】  前記報知手段は、前記スタートレバーが操作されたことに基づいて前記演出決定テーブルにより報知態様を選択することを特徴とする請求項１に記載の遊技機。
【請求項３】  前記報知手段によって報知される報知態様が前記入賞態様決定手段で決定された前記特定の入賞態様に対応した特定の報知態様であることを条件に、特定の告知態様で遊技者に告知する告知手段を備えて構成されることを特徴とする請求項１または請求項２に遊技機。
【請求項４】  前記特定の告知態様は表示装置の表示であることを特徴とする請求項３に記載の遊技機。
【請求項５】  前記告知手段は、前記特定の入賞態様の遊技が終了するまで前記表示装置を表示し続けることを特徴とする請求項４に記載の遊技機。
【請求項６】  前記報知手段は、液晶表示部を含み、
前記報知態様は、前記液晶表示部に表示される表示態様によって実現されることを特徴とする請求項１から請求項４のいずれか１項に記載の遊技機。
【請求項７】  前記特定の告知態様は、前記報知手段による報知態様によって実現されることを特徴とする請求項３または請求項６に記載の遊技機。
【請求項８】  前記演出決定テーブルは、遊技状態および入賞態様に応じてデモ抽選テーブルを選択するデモ抽選テーブル選択テーブルと、抽出乱数に応じて前記報知態様を選択するデモ抽選テーブルとにより構成されることを特徴とする請求項１から請求項７のいずれか１項に記載の遊技機。
【手続補正２】
【補正対象書類名】明細書
【補正対象項目名】０００９
【補正方法】変更
【補正の内容】
【０００９】
【課題を解決するための手段】
本発明はこのような課題を解決するためになされたもので、
複数の入賞態様からなる確率テーブルを有し、抽出された乱数が確率テーブルのいずれかの入賞態様に属したとき、その属した入賞態様の当選フラグを成立させる入賞態様決定手段と、
種々の図柄を複数列に可変表示し、入賞態様決定手段で決定された入賞態様に応じた図柄組み合わせを有効化入賞ライン上に停止表示する可変表示装置と、
この可変表示装置の可変表示を開始させるスタートレバーと、
可変表示装置の可変表示を各列毎に停止させる複数の停止ボタンと
を備え、
複数の入賞態様は、複数の小当たり入賞態様の他、その属した入賞態様の当選フラグが成立すると対応する図柄組み合わせが停止表示されるまで内部当たり状態となる特定の入賞態様を含み、
可変表示装置は、停止ボタンが操作されることに基づいて入賞態様に応じた図柄組み合わせを有効化入賞ライン上に停止表示するが、当選フラグが成立していても、停止ボタンが当選フラグに対応した図柄を有効化入賞ライン上に停止できるタイミングで操作されないと、有効化入賞ライン上に対応する図柄組み合わせを停止表示させない制御を行う遊技機において、
スタートレバーの操作が検出されたことに基づいて発生させる複数の効果音と、複数の停止ボタンの各々の操作が検出される毎に実行される表示態様の組み合わせが予め定められた複数の連動表示態様とを有するとともに、複数の効果音および複数の連動表示態様の各々を組み合わせてなる複数の報知態様を有し、
複数の小当たり入賞態様と特定の入賞態様とを含む複数の入賞態様毎に区画され、この入賞態様毎に複数の報知態様のうち少なくとも一が対応付けされた演出決定テーブルと、
この演出決定テーブルにより入賞態様決定手段で決定された入賞態様に応じた報知態様を選択し、この選択した報知態様で遊技者に報知する報知手段と
を備え、遊技機を構成した。
【手続補正３】
【補正対象書類名】明細書
【補正対象項目名】００１０
【補正方法】変更
【補正の内容】
【００１０】
本構成によれば、入賞態様決定手段で決定された入賞態様に応じた報知態様が、演出決定テーブルにより選択され、この選択された報知態様が報知手段によって遊技の一連の流れの中で遊技者に報知される。従って、遊技者は、遊技の進行に伴い報知される報知態様により、入賞態様をある程度予測できる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、本発明は、報知手段によって報知される報知態様が入賞態様決定手段で決定された特定の入賞態様に対応した特定の報知態様であることを条件に、特定の告知態様で遊技者に告知する告知手段を備えて構成されることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本構成によれば、報知手段によって報知される報知態様が特定の報知態様である場合に、告知手段によって特定入賞態様発生の内部抽選結果が遊技者に告知される。報知手段によって報知される報知態様が特定の報知態様でない場合には、告知手段によってその内部抽選結果は告知されない。従って、遊技者は、特定入賞態様発生の内部抽選結果が告知手段によって告知されていない場合にも、遊技の一連の流れを通じて報知手段によって報知される報知態様によって特定入賞態様発生の内部抽選結果を知ることが出来る。
【手続補正８】
【補正対象書類名】明細書
【補正対象項目名】０１２４
【補正方法】変更
【補正の内容】
【０１２４】
【発明の効果】
以上説明したように本発明によれば、入賞態様決定手段で決定された入賞態様に応じた報知態様が、演出決定テーブルにより選択され、この選択された報知態様が報知手段によって遊技の一連の流れの中で遊技者に報知される。従って、遊技者は、遊技の進行に伴い報知される報知態様により、ある程度入賞態様の予測をすることが可能となる。
【手続補正９】
【補正対象書類名】明細書
【補正対象項目名】０１２５
【補正方法】変更
【補正の内容】
【０１２５】
また、遊技者は、特定入賞態様発生の内部抽選結果が告知手段によって告知されていない場合にも、報知手段の報知態様によって特定入賞態様発生の内部抽選結果を知ることが出来る。このため、報知手段の報知態様から特定入賞態様の発生を探す喜びが遊技に生じる。